(57)【要約】   【課題】  テーブル同士の組み合わせが容易で多様な形態に組み上げやすく、テーブル同士を組み合わせてエッジ同士を当接させた場合に一体感が得られやすいような、配置自在な集合テーブルセットを提供する。  【解決手段】  長さ２Ｌ、幅Ｗ、厚さＴの天板を備えた高さＨの長テーブル１１０と、長さＬ、幅Ｗ、厚さＴの天板を備えた高さＨの第１の短テーブル１２０と、長さＬ、幅Ｗ、厚さＴの天板を備えた高さＨの第２の短テーブル１３０と、複数の椅子１４０を備え、長テーブル１１０と第１の短テーブル１２０と第２の短テーブル１３０の３つを組み合わせて集合テーブル１００とし、集合テーブルの形状を用途に応じて動的に変化させることができる。いずれかのテーブルの天板の底面から周囲に張り出した帯板を設けて他のテーブルのエッジを帯板の上に載せ置く構成も可能である。【選択図】  図１
0003140593.tif 000002
【実用新案登録請求の範囲】
【請求項１】
長さ２Ｌ、幅Ｗ、厚さＴの天板を備えた高さＨの長テーブルと、
長さＬ、幅Ｗ、厚さＴの天板を備えた高さＨの第１の短テーブルと、
長さＬ、幅Ｗ、厚さＴの天板を備えた高さＨの第２の短テーブルと、
複数の椅子を備え、
前記長テーブルと前記第１の短テーブルと前記第２の短テーブルの３つを組み合わせて集合テーブルとし、前記集合テーブルの形状を用途に応じて動的に変化させることができる配置自在の集合テーブルセット。
【請求項２】
前記長テーブル、前記第１の短テーブル、前記第２の短テーブルのそれぞれの脚部にストッパー付きキャスターを設け、前記集合テーブルの形状を変化させるときに前記ストッパー付きキャスターを可動状態として配置替えしやすくし、前記集合テーブルの形状を固定させるときに前記ストッパー付きキャスターを制動状態として配置が変わらないようにしたことを特徴とする請求項１に記載の配置自在の集合テーブルセット。
【請求項３】
前記長テーブル、前記第１の短テーブル、前記第２の短テーブルの少なくともいずれかの天板の底面から周囲に張り出した帯板を設け、他のテーブルのエッジを隣接させる際に、前記帯板の上に前記他のテーブルのエッジを載せ置くことを特徴とする請求項１または２に記載の配置自在の集合テーブルセット。
【考案の詳細な説明】
【技術分野】
【０００１】
本考案は、家庭向けのダイニングテーブル、リビングテーブル、作業テーブルなど、幅広い用途に対応できる集合テーブルセットに関する。
【背景技術】
【０００２】
近時におけるテーブルの利用形態として、通常は個別に独立している同じ天板形状を持つテーブルを必要に応じて複数個集合させることによって動的にテーブルを所望の形状を構成するようにする例が少なくない。例えば、同じ天板を持つテーブルを多数集めていわゆるコの字型に配置したり、いわゆる田字型に組んだりすることがある。このような利用形態によれば、多様なテーブルの形に組むことができる。
【０００３】
ここで、重要なことは、組みあがった集合テーブルの使い勝手や一体感を得るためには、同じ種類で同じ色で同じ形状の天板のテーブル、つまり、同じテーブルを複数個用意する必要があるということである。なぜならば、たとえ色が同系色を選んだとしても、メーカーが異なる別の種類のテーブルを寄せ集めると微妙に高さがことなっていたり幅が異なっていたりして、結局使いづらく、とても一体感が得られるような集合テーブルとすることができないからである。
【０００４】
【特許文献１】特開２００１−２５８６４９号公報
【考案の開示】
【考案が解決しようとする課題】
【０００５】
しかし、同じメーカーの同じ天板を持つ同じテーブルを複数個用意して集合テーブルを組む場合であっても数々の問題が指摘されている。
個々のテーブルの天板は、従来から単純な長方形状をなしており、上記のように同じ種類の同じサイズの天板を持つ複数のテーブルを組み合わせる際には、テーブルの天板同士を突き合わせて隙間なく密接に当接させるようにする。ところが、テーブルの数が多くなるほどうまくテーブルのエッジ同士を当接させることが難しく、テーブルのエッジ同士の間に隙間が空いたり角度がついたりして、全体としてみれば歪んだ形にテーブルが配置されてしまっているということが良くある。そこで、テーブル同士の組み合わせが容易で多様な形態に組み上げやすい配置自在な集合テーブルセットが必要とされている。
【０００６】
また、テーブル同士を組み合わせて集合テーブルを組み上げた場合、容易にテーブルが動いてテーブル天板が当接しているエッジにおいて隙間が生じて集合テーブル全体が歪んでしまうという問題がある。もっとも天板同士が動かないように釘などで天板同士を打ち付けてしまえば天板は容易にはずれないが、集合テーブルというのは必要に応じて簡単に別の形に組み上げる点に価値があるのであって釘などで天板同士を打ち付けてしまうことは好ましくない。そこで、一度組み上げた集合テーブルが不意に動いて当接した天板の間に隙間ができることなくある程度固定され、かつ、集合テーブルの他の形に組み替えたい場合に容易にテーブルを動かすことができるような配置自在な集合テーブルセットが必要とされている。
【０００７】
また、特開２００１−２５８６４９号公報ではテーブルのエッジ同士を当接させて集合テーブルを組み上げた場合には、オフィス用途であればパソコンの配線などをうまく這わせるためにテーブルとテーブルの間に隙間を設けた方が良いとし、如何に隙間を設けるかということを提案している。しかし、それはオフィス用途などの場合であって、ダイニングテーブルやリビングテーブルであればむしろテーブルのエッジ同士を当接させて集合テーブルを組み上げた場合には如何にエッジの間に隙間が空かないようにして一体感を出すかが問題となる。なぜならば、集合テーブルに隙間があれば、ダイニングテーブルなどではお箸やナイフやフォークなどのダイニング用品が当該隙間から床下に落下してしまうという問題がある。そこで、テーブル同士を組み合わせてエッジ同士を当接させた場合にエッジの間に隙間が空かず一体感が得られやすい配置自在の集合テーブルセットが必要とされている。
【０００８】
このような事情から、本考案は、テーブル同士の組み合わせが容易で多様な形態に組み上げやすく、一度組み上げたテーブル同士がある程度離れにくく、また、テーブル同士を組み合わせてエッジ同士を当接させた場合にエッジの間に隙間が空かず一体感が得られやすいような、配置自在な集合テーブルセットを提供することを目的とする。
【課題を解決するための手段】
【０００９】
上記目的を達成するため、本考案の請求項１にかかる配置自在な集合テーブルセットは、
長さ２Ｌ、幅Ｗ、厚さＴの天板を備えた高さＨの長テーブルと、
長さＬ、幅Ｗ、厚さＴの天板を備えた高さＨの第１の短テーブルと、
長さＬ、幅Ｗ、厚さＴの天板を備えた高さＨの第２の短テーブルと、
複数の椅子を備え、
前記長テーブルと前記第１の短テーブルと前記第２の短テーブルの３つを組み合わせて集合テーブルとし、前記集合テーブルの形状を用途に応じて動的に変化させることができる配置自在の集合テーブルセットである。
なお、請求項２の構成では、長テーブル、前記第１の短テーブル、前記第２の短テーブルのそれぞれの脚部にストッパー付きキャスターを設け、前記集合テーブルの形状を変化させるときに前記ストッパー付きキャスターの可動状態として配置替えしやすくし、前記集合テーブルの形状を固定させるときに前記ストッパー付きキャスターの制動状態として配置が変わらないようにする工夫を加えたものである。
【００１０】
上記構成により、長テーブル、第１の短テーブル、第２の短テーブルという３つのテーブルのみの組み合わせにより、いわゆる田の字型、コの字型、十字型など典型的な集合テーブルの組み上げに加え、多様な集合テーブルの組み上げが容易で、かつ、組み上げた後に歪みの少ない一体感の出やすい集合テーブルを得ることができる。
【００１１】
次に、本発明は、請求項３において、テーブル同士のエッジの当接において隙間ができない工夫を施している。請求項３は、前記長テーブル、前記第１の短テーブル、前記第２の短テーブルの少なくともいずれかの天板の底面から周囲に張り出した帯板を設け、他のテーブルのエッジを隣接させる際に、前記帯板の上に前記他のテーブルのエッジを載せ置くことを特徴とするものである。
【００１２】
上記構成により、第１の短テーブルまたは第２の短テーブルを長テーブルに対して当接する場合、長テーブルの底面から周囲に張り出した帯板の上に第１の短テーブルまたは第２の短テーブルのエッジを載せ置くので、帯板の上面と第１の短テーブルまたは第２の短テーブルの天板の裏面との摩擦により容易にはテーブルの天板がずれ動くことはない。また、天板のエッジが少しずれたとしても天板同士の隙間の直下に帯板があるので、隙間からテーブルの上に載せ置いたものが落下するようなことはない。
【考案の効果】
【００１３】
本考案の配置自在の集合テーブルによれば、長テーブル、第１の短テーブル、第２の短テーブルという３つのテーブルのみの組み合わせにより、いわゆる田の字型、コの字型など典型的な集合テーブルの組み上げに加え、多様な集合テーブルの組み上げが容易で、かつ、組み上げた後に歪みの少ない一体感の出やすい集合テーブルを得ることができる。
【００１４】
また、本考案の配置自在の集合テーブルによれば、第１の短テーブルまたは第２の短テーブルを長テーブルに対して当接する場合、長テーブルの底面から周囲に張り出した帯板の上に第１の短テーブルまたは第２の短テーブルのエッジを載せ置くので、帯板の上面と第１の短テーブルまたは第２の短テーブルの天板の裏面との摩擦により容易にはテーブルの天板がずれ動くことはない。また、天板のエッジが少しずれたとしても天板同士の隙間の直下に帯板があるので、隙間からテーブルの上に載せ置いたものが落下するようなことはない。
【考案を実施するための最良の形態】
【００１５】
以下、図面を参照しつつ、本考案の配置自在な集合テーブルセットの実施例を説明する。ただし、本考案の範囲は以下の実施例に示した具体的な用途、形状、個数などには限定されないことは言うまでもない。
【実施例１】
【００１６】
実施例１にかかる本考案の配置自在な集合テーブルセットの例を示す。
図１、図２、図３は実施例１にかかる本考案の配置自在な集合テーブルセット１００の配置例の１つを模式的に示す図である。図１は平面図と底面図、図２は正面図と背面図と右側面図を示している。なお、左側面図は右側面図と対照に表れるので図示を省略している。
図１、図２に示すように、実施例１にかかる本考案の配置自在な集合テーブルセット１００は、長テーブル１１０と、第１の短テーブル１２０と、第２の短テーブル１３０、複数の椅子１４０を備えている。なお、椅子については図示を省略した。
【００１７】
各テーブルの素材は例えば、天然無垢の木材とする。
長テーブル１１０は天板１１１と左右の脚部１１２を備えている。天板１１１は、長さ２Ｌ、幅Ｗ、厚さＴの天板となっている。脚部１１２と天板の厚さＴを加えた高さはＨとなっている。
【００１８】
第１の短テーブル１２０は天板１２１と左右の脚部１２２を備えている。天板１２１は、長さＬ、幅Ｗ、厚さＴの天板となっている。脚部１２２と天板の厚さＴを加えた高さはＨとなっている。
同様に、第２の短テーブル１３０は天板１３１と左右の脚部１３２を備えている。天板１３１は、長さＬ、幅Ｗ、厚さＴの天板となっている。脚部１３２と天板の厚さＴを加えた高さはＨとなっている。
つまり第１の短テーブル１２０および第２の短テーブル１３０はともに長さにおいて長テーブル１１０のちょうど半分の長さとなっている。すべてのテーブルにおいて長テーブル１１０と同じ高さとなっている。
【００１９】
ここで、本発明の集合テーブルセットは、長テーブル１１０と第１の短テーブル１２０と第２の短テーブル１３０の３つを組み合わせて集合テーブル１００とすることができる。集合テーブル１００の形状を用途に応じて動的に変化させることができる配置自在のものとなっている。
【００２０】
なお、各テーブルを移動させやすいように、各テーブルのそれぞれの脚部にストッパー付きキャスター１５０を設けることが好ましい。このようにストッパー付きキャスター１５０を設けることにより、集合テーブル１００の形状を変化させるときにストッパー付きキャスター１５０を可動状態として配置替えしやすくし、集合テーブルの形状を固定させるときにストッパー付きキャスター１５０を制動状態として配置が変わらないようにすることができる。
【００２１】
図３は、本考案の集合テーブルセット１００の他の配置例の１つを模式的に示す図である。図３の例ではいわゆるコの字型に並べた例である。コの字型としたときも長テーブル１１０がまっすぐに存在しているので、第１の短テーブル１２０および第２の短テーブル１３０を沿わせるのみで良く、全体の歪みが少ない形でコの字型の集合テーブルを形成することができる。
【００２２】
なお、配置替えに際してはストッパー付きキャスター１５０を回動状態としてゴマが回転するようにしておけば軽々と移動することができ、コの字型に組んだあとストッパー付きキャスター１５０を制動状態としてゴマが回転しないようにしておけば設置場所において安定する。
【００２３】
図４は、本考案の集合テーブルセット１００の他の配置例の１つを模式的に示す図である。図４の例ではいわゆるπの字型に並べた例である。πの字型としたときも長テーブル１１０がまっすぐに存在しているので、第１の短テーブル１２０および第２の短テーブル１３０を沿わせるのみで良く、全体の歪みが少ない形でπの字型の集合テーブルを形成することができる。
【００２４】
図５は、本考案の集合テーブルセット１００の他の配置例の１つを模式的に示す図である。図５の例ではいわゆる十字型に並べた例である。十字型としたときも長テーブル１１０がまっすぐに存在しているので、第１の短テーブル１２０および第２の短テーブル１３０を沿わせるのみで良く、全体の歪みが少ない形で十字型の集合テーブルを形成することができる。
【００２５】
図６は、本考案の集合テーブルセット１００の他の配置例の１つを模式的に示す図である。図６の例では第１の短テーブル１１０と第２の短テーブル１２０を相対させ、長テーブル１１０を横に並べた例である。このように、本考案の集合テーブルセット１００は、一部のテーブルを分離した状態で使用することもできる。
【実施例２】
【００２６】
実施例２にかかる本考案の配置自在な集合テーブルセット１００ａの例を示す。
実施例２にかかる集合テーブルセット１００ａは、テーブルの天板の底面から周囲に張り出した帯板１１５を設けた構成例である。
本考案の帯板は、長テーブル、第１の短テーブル、第２の短テーブルの少なくともいずれかの天板の底面から周囲に張り出した帯板を設けるものであり、帯板を設けるものは長テーブルであっても、短テーブルであっても良いが、ここでは一例として長テーブルの天板の底面に帯板を設けたものを示す。
【００２７】
図７は実施例２にかかる集合テーブルセット１００のうち、長テーブル１１０ａのみを取り出して示した図である。図７は平面図、底面図を示し、図８は正面図、右側面図を示している。なお、背面図は正面図と対照に表れるので図示を省略し、左側面図は右側面図と対照に表れるので図示を省略している。
【００２８】
図７、図８に見るように実施例２にかかる長テーブル１１０ａは、天板の底面から外周に向けて帯板１１５が張り出している。この帯板１１５は長テーブル１１０ａと第１の短テーブル１２０のエッジ、または、長テーブル１１０ａと第２の短テーブル１３０のエッジを隣接させる際に、帯板１１５の上に第１の短テーブル１２０のエッジまたは第２の短テーブル１３０のエッジを載せ置くものである。
【００２９】
この帯板１１５には２つの効果がある。
第１の効果は各テーブルのずれを防止する安定化効果である。図９は帯板１１５と天板裏面との間に生じる摩擦力を模式的に示した図である。長テーブル１１０ａの底面から周囲に張り出した帯板の上に第１の短テーブルまたは第２の短テーブルのエッジを載せ置くので、水平方向の動きに対しては帯板の上面と第１の短テーブルまたは第２の短テーブルの天板の裏面との間に摩擦力が発生する仕組みとなっている。摩擦力により各テーブルが容易には水平方向にずれ動くことはない。
なお、摩擦力を増加させるため、天板の裏面はシリコンゴムのような粘着力がある素材を貼って置くこともできる。
【００３０】
次に、第２の効果は各テーブルが仮にずれたとしても隙間が生じず、テーブル上の物が落下しないという落下防止効果である。図１０は第１の短テーブル１２０が動いて長テーブル１１０ａとの間に隙間が生じた場合を模式的に示す図である。
図１０に示したように天板のエッジが少しずれたとしても天板同士の隙間の直下に帯板１１５があることが分かる。帯板１１５によりテーブル上の物が床下に落下しない。
【００３１】
なお、この帯板１１５は天板１１１に対して固定されていても良いし、可動式で引出・収納可能な構造としても良い。
天板１１１ａの裏面において帯板１１５を引き出す構造自体は特定されずどのような構造であっても採用できる。図１１の例では長辺側の帯板１１５が引き出したり収納したりすることができる構造となっている構成例である。例えば、図１２は帯板１１５の底面の一部を模式的に拡大した図であるが、天板１１１ａの裏面にある帯板１１５の４隅に切れ込み１１６と当該切れ込み１１６を介して帯板１１５を押さえる蝶ねじ留め具１１７があり、帯板１１５を可動させるときには４隅の蝶ねじ留め具１１７を緩めて引き出す構造となっている。図１２（ａ）に示すように蝶ねじ留め具１１７を緩めることにより帯板１１５は切れ込み１１６の範囲で前後に移動させることができる。帯板１１５を引き出した後、図１２（ｂ）に示すように再び蝶ねじ留め具１１７を締めることにより帯板１１５を固定することができる。
【００３２】
帯板１１５を収納するときは逆の手順により、図１２（ｂ）の状態から蝶ねじ留め具１１６を緩めて帯板１１５を可動状態として天板１１１の下に隠れるように収納し、再び蝶ねじ留め具１１７を締めることにより帯板１１５を固定することができる。
図１２に示した蝶ねじ留め具１１６を用いる可動構造の例は一例であり、天板１１１ａの裏面において帯板１１５を引き出す構造自体は特定されずどのような構造であっても採用できる。
【００３３】
以上、本考案の好ましい実施形態を図示して説明してきたが、本考案の技術的範囲を逸脱することなく種々の変更が可能であることは理解されるであろう。従って本考案の技術的範囲は添付された特許請求の範囲の記載によってのみ限定されるものである。
【図面の簡単な説明】
【００３４】
【図１】本考案の集合テーブルセット１００の配置例の１つを模式的に示す図（平面図と底面図）
【図２】本考案の集合テーブルセット１００の配置例の１つを模式的に示す図（正面図と背面図）
【図３】本考案の集合テーブルセット１００の配置例の１つを模式的に示す図（右側面図と左側面図）
【図３】本考案の集合テーブルセット１００の他の配置例の１つを模式的に示す図（コの字型）
【図４】本考案の集合テーブルセット１００の他の配置例の１つを模式的に示す図（πの字型）
【図５】本考案の集合テーブルセット１００の他の配置例の１つを模式的に示す図（十字型）
【図６】本考案の集合テーブルセット１００の他の配置例の１つを模式的に示す図（一部のテーブルを分離した状態）
【図７】実施例２にかかる集合テーブルセット１００のうち、長テーブル１１０ａのみを取り出して示した図（平面図、底面図）
【図８】実施例２にかかる集合テーブルセット１００のうち、長テーブル１１０ａのみを取り出して示した図（正面図、右側面図）
【図９】帯板１１５と天板裏面との間に生じる摩擦力を模式的に示した図
【図１０】第１の短テーブル１２０が動いて長テーブル１１０ａとの間に隙間が生じた場合を模式的に示す図
【図１１】長辺側の帯板１１５が引き出したり収納したりすることができる構造となっている構成例を示す図
【図１２】帯板１１５の底面の一部を模式的に拡大した図
【符号の説明】
【００３５】
１００，１００ａ  配置自在な集合テーブルセット
１１０，１１０ａ  長テーブル
１１１，１１１ａ  天板
１１２  脚部
１１５  帯板
１１６  留め具
１２０  第１の短テーブル
１２１  天板
１２２  脚部
１３０  第２の短テーブル
１３１  天板
１３２  脚部
１４０  椅子
１５０  ストッパー付きキャスター
【図１】
0003140593.tif 000003
【図２】
0003140593.tif 000004
【図３】
0003140593.tif 000005
【図４】
0003140593.tif 000006
【図５】
0003140593.tif 000007
【図６】
0003140593.tif 000008
【図７】
0003140593.tif 000009
【図８】
0003140593.tif 000010
【図９】
0003140593.tif 000011
【図１０】
0003140593.tif 000012
【図１１】
0003140593.tif 000013
【図１２】
0003140593.tif 000014